(57)【要約】コンテナ（１０）と、コンテナを閉じるための第１のカバー構造（２１）とを有する台所電気製品（１）は、第１のカバー構造上に配置可能な第２のカバー構造（２５）を含み、２つのカバー構造により中空の空間（２９）が形成され、この中空の空間は、台所電気製品の付属品（３０、３１）を収納するよう機能し且つ適応される。
2004506465.tif 000002
【特許請求の範囲】
【請求項１】
加工されるべき物質を保持するコンテナと、上記コンテナを閉じるための第１のカバー構造とを有する台所電気製品であって、
上記コンテナは、底壁と、少なくとも１つの外周壁と、上記コンテナの内部にアクセスするための開口と境を接するコンテナリムとを有し、
上記第１のカバー構造は、上記コンテナと協働するカバーリムと、上記アクセス開口の少なくとも大部分を覆うカバー壁とを有し、
更に、第２のカバー構造が設けられ、上記第２のカバー構造は、カバーリムと、上記第１のカバー構造の大部分を覆うカバー壁とを有し、
上記第１のカバー構造と上記第２のカバー構造は共に中空の空間の境界を画成し、上記中空の空間は、上記台所電気製品の少なくとも１つの付属品を収容するよう機能し且つ適応される電気製品。
【請求項２】
上記第１のカバー構造及び上記第２のカバー構造のうちの少なくとも１つのカバー構造は、保持手段を有し、この保持手段により上記少なくとも１つの付属品が固定される請求項１記載の台所電気製品。
【請求項３】
上記保持手段は、上記第２のカバー構造のみに配置される請求項２記載の台所電気製品。
【請求項４】
上記第２のカバー構造は、上記第１のカバー構造上に置かれ、上記第１のカバー構造に接続される請求項１記載の台所電気製品。
【発明の詳細な説明】
【０００１】
本発明は、加工されるべき物質を保持するコンテナと、コンテナを閉じるためのカバー構造を有する台所電気製品に関する。
【０００２】
冒頭部に記載したような種類の台所電気製品は、様々なバージョンが周知である。このような台所電気製品は、出願人によりＨＲ７７２７の種類指定で市販されている。このような台所電気製品は、その付属品を保管し収納するための単純な解決策を見出すことが望ましい。このような台所電気製品の付属品の保管且つ収納は、例えば、別個の収納コンテナによって可能であるが、これは比較的費用がかかり、台所電気製品とは別にその別個の収納コンテナが収納され、従って、その台所電気製品を使用したいときには、最初にその別個のコンテナを見つけなければならないという欠点がある。
【０００３】
本発明は、冒頭部に記載されるような種類の台所電気製品の付属品を保管且つ収納する単純、効率的、且つ、低費用の解決策を提供し、従って、改善された台所電気製品を提供することを目的とする。
【０００４】
この目的を達成するために、本発明の台所電気製品は、特に以下の点を有することを特徴とする。
【０００５】
加工されるべき物質を保持するコンテナと、コンテナを閉じるための第１のカバー構造とを有する台所電気製品であって、コンテナは、底壁と、少なくとも１つの外周壁と、コンテナの内部にアクセスするための開口と境を接するコンテナリムとを有し、上記第１のカバー構造は、コンテナと協働するカバーリムと、アクセス開口の少なくとも大部分を覆うカバー壁とを有し、更に、第２のカバー構造が設けられ、第２のカバー構造は、カバーリムと、第１のカバー構造の大部分を覆うカバー壁とを有し、第１のカバー構造と第２のカバー構造は共に中空の空間の境界を画成し、中空の空間は、台所電気製品の少なくとも１つの付属品を収容するよう機能し且つ適応される。
【０００６】
本発明の手段が設けられることにより、本発明の台所電気製品の付属品を保管及び収納する好適な可能性が、単純、コンパクト、且つ、非常に少ない追加の費用で得られ、一方で、その収納される付属品は、２つのカバー構造により形成される構成上のユニット内に常に収容されることが保証される。２つのカバー構造は透明材料から形成されることが有利であり、これは、収納される付属品が常に可視であるという利点をもたらす。
【０００７】
本発明の台所電気製品では、台所電気製品の付属品は、第１のカバー構造及び第２のカバー構造との間の中空の空間内に固定されずに収容されてもよい。しかし、本発明の台所電気製品において、少なくとも１つのカバー構造が、付属品を保持するための保持手段を有することが非常に有利であることが分かっている。これにより、付属品がきちんと保管且つ収納され、更に、固定されずに収納される付属品により発生される望ましくない音を排除することができる。
【０００８】
本発明の台所電気製品において、第２のカバー構造及び第１のカバー構造は、台所電気製品のコンテナに直接接続されることが可能である。しかし、第２のカバー構造が第１のカバー構造の上に置かれると非常に有利であることが分かっている。このことは、構成の観点から有利であり、可能な限り単純となる。更に、第２のカバー構造単独と、２つのカバー構造から構成される構成上のユニットの両方が、本発明の台所電気製品のコンテナから単純且つ簡単に取外しができるので有利である。
【０００９】
本発明の上述した面及び更なる面は、以下に説明する実施例から明らかにし、これらの実施例により説明する。
【００１０】
本発明は、図面に示し、以下に制限されない例示的な３つの実施例を参照しながら以下により詳細に説明する。
【００１１】
図１は、台所電気製品１を示す。台所電気製品１は、略Ｌ字型の側面を有し、ベース部３とタワー状の側部４を含むハウジングを有する。側部４は、図示しない駆動モータを収容する。主にベース３内に収容され、図２に部分的に示す駆動手段が、駆動モータにより駆動される。駆動手段は駆動ベルト５を含み、駆動ベルト５によりプーリ６が軸７回りで回転式に駆動される。駆動マンドレル８は、プーリ６により回転式に駆動可能であり、ハウジング２のベース部３の上壁９を通り上壁９から突出して延在する。
【００１２】
台所電気製品１は更に、加工されるべき物質を保持するコンテナ１０を含む。コンテナ１０は、底壁１１と、略円形の断面形状を有し、基本的に穴の開いていない外周壁１２を有する。底壁１１の領域には、シーリングタレット１３がコンテナ１０に接続され、コンテナ１０の底壁１１にある通路１４を囲み、それにより、加工されるべき物質が底壁１１の通路１４を通り外に出ることを阻止する。駆動タレット１５はシーリングタレット１３の上に置かれ、図示しない方法で駆動マンドレル８と駆動係合する。その結果、駆動タレット１５は、コンテナ１０がベース部３の上壁９上に置かれると、駆動マンドレル８により回転式に駆動可能となる。図１に示すような接続リブ１５ａ、１５ｂを有する駆動タレット１５は、異なる攪拌工具、混合工具、および、切断工具と係合しそれを駆動することが可能である。図２に示すように、駆動タレット１５は、特に、略円形のカッティング円盤１６と係合し且つそれを駆動することができる。カッティング円盤１６は、略円盤状のプラスチックホルダ部１７から構成され、ホルダ部に金属カッター１８が接続可能である。カッティング円盤１６により、例えば、図２に示すようなキュウリ１９といったスライスされる物質は、簡単にスライスにカット可能であり、カットされたスライスはコンテナ１０内に落ち、そこで集められる。
【００１３】
底壁１１から遠い方の外周壁１２には、コンテナ１０はコンテナリム２０を有する。コンテナリム２０は、コンテナの内部にアクセスするための開口と境を接する。
【００１４】
コンテナ１０を閉じるために、台所電気製品１は、第１のカバー構造２１を有する。第１のカバー構造２１は、コンテナ１０のコンテナリム２０と協働するカバーリム２２と、コンテナの内部へ通じる開口全体に延在するカバー壁２３とを有する。カバー壁２３からは、中空の円筒フィードインチューブ２４が突出し、そのチューブには、例えば、キュウリ１９といったスライスされるべき物質を挿入することができる。
【００１５】
図１及び図２に示す台所電気製品は、更に、第２のカバー構造２５を有利に有する。第２のカバー構造２５もカバーリム２６を有する。第２のカバー構造２５は更に、第１のカバー構造２１のカバー壁２３全体に延在するカバー壁２７を有する。第２のカバー構造２５のカバー壁２７には開口２８が形成される。開口２８を通り、第１のカバー構造２１から突出するフィードインチューブ２４が延在する。
【００１６】
図１及び図２に示す台所電気製品１では、第１のカバー構造２１及び第２のカバー構造２５は共に中空の空間２９の境界を画成する。本実施例では、中空の空間２９は、台所電気製品１の２つの付属品を収納するよう機能し且つ適応される。付属品は、即ち、２つのカッター３０、３１であり、これらは、カッター１８の代わりにカッティング円盤１６のホルダ部１７に選択的に取付けられることが可能である。第２のカバー構造２５は、図２には示さない保持手段を有し、この保持手段により２つのカッター３０、３１は固定される。
【００１７】
このようにして、２つのカバー構造２１と２５との間の中空の空間２９内に２つのカッター３０、３１を収納するための好適な可能性が、単純、コンパクト、且つ、非常に少ない追加の費用で形成され、これにより、２つのカッター３０、３１は適切に保護され、更に、台所電気製品のある場所にいつもあるようにされる。
【００１８】
コンテナ１０、第１のカバー構造２１、及び、第２のカバー構造２５の構成に関し、第２のカバー構造２５が第１のカバー構造２１の上に配置され、第２のカバー構造２５は、２つのカバー構造２１及び２５の間で作用するクランプ手段により第１のカバー構造２１に接続されることに留意されたい。従って、この構成では、第１のカバー構造２１のみが、そのカバーリム２２により、コンテナ１０のコンテナリム２０と接続する。この結果、第２のカバー構造２５は、第２のカバー構造２５と第１のカバー構造２１との間のクランプ手段を単に外すことにより第１のカバー構造２１から離され、次に、第２のカバー構造２５は第１のカバー構造２１からフィードインチューブ２４に沿って動かすことが可能であり、その後に、第２のカバー構造２５を１８０°回転し、その結果、第２のカバー構造内において図示しない保持手段により固定されるカッター３０、３１を容易に取り出すことができるようになり、２つのカッター３０、３１のうち少なくとも１つのカッターを第２のカバー構造２５から取外すことができる。
【００１９】
第２の実施例用である図３及び図４に示す第１のカバー構造２１及び第２のカバー構造２５の構成に関し、この解決策も、付属品、即ち、本実施例の場合は図３に示すカッター３０、３１用の保持手段が設けられる。保持手段４０は、保持アーム４１、４２、４３、及び４４を含み、これらは第２のカバー構造２５のカバー壁２７と一体にされる。更に、保持手段４０は、固定タブ４５を含み、これは、インテグラルヒンジ４６を介し第２のカバー構造２５のカバー壁２７に一体に接続される。
【００２０】
図３及び図４に示す実施例では、図１及び図２に示す実施例から類推して、カッター３０、３１の保持アーム４１、４２、４３、及び４４への挿入又は導入は、矢印４７により示す方向に可能である。矢印４７に示す方向にカッター３０、３１を挿入した後、固定タブ４５が、図３及び４に示すロック位置に可動である。即ち、固定タブ４５はインテグラルヒンジ４６の周りでピボット可能であり、それにより、第２のカバー構造２５の保持手段４０により保持されるカッター３０、３１が固定されることを保証する。固定タブ４５は更に、第１のカバー構造２１上に第２のカバー構造２５が置かれた状態で、カッター３０、３１をフィードインチューブ２４から離れた状態にし、２つのカバー構造２１及び２５が一緒にされる又は切り離されても、フィードインチューブ２４は、２つのカッター３０、３１のいずれによっても傷つけられないようにすることを保証する。
【００２１】
図５は、図３及び図４に示す第２のカバー構造２５の変形である第２のカバー構造２５を示す。図５に示す第２のカバー構造２５では、固定タブ４５はインテグラルヒンジ４６を介しカバー壁２７に接続され、これは、図３及び４に示す第２のカバー構造２５と同様であるが、図５に示す第２のカバー構造２５では、ロックタブ４９が更なるインテグラルヒンジ４８を介し固定タブ４５に接続され、ロックタブからは、中空の円筒状のロックスリーブ５０が突出する。更に、ロック凹部５１が第２のカバー構造２５のカバー壁２７の領域に設けられる。図５には示さないが、カッター３０、３１が保持手段４０の保持アーム４１、４２、４３、及び４４に挿入された後、図５に示すようにロックスリーブ５０を含むロックタブ４９は、一点鎖線矢印５２に示すようにピボットされ、その後、ロックスリーブ５０はロック凹部５１に圧入され、着脱可能なロックを形成し、図５には示さないが、第２のカバー構造内に置かれるカッターが、固定タブ４５により横に動かないように固定され、固定タブ４５はロックスリーブ５０及びロック凹部５１により固定される。
【００２２】
本発明は、本願に例示的に説明される実施例に制限されるものではない。例えば、台所電気製品の付属品が、第１のカバー構造と第２のカバー構造との間に形成される中空の空間に固定されずに置かれる別の構成が選択可能であり、その場合、これらの付属品用の保持手段又は固定手段は設けられない。変更された構成は保持手段を含んでもよいが、この保持手段は、図３、４、及び５に示す夫々の変形に対し本願に説明したものとは別の構成である。本願において説明した２つの実施例では、コンテナのコンテナリムの領域、第１のカバー構造のカバーリムの領域、及び、第２のカバー構造のカバーリムの領域は、同一の大きさのオーダの外寸を有する。外寸は同一である必要はなく、というのは、第２のカバー構造は、第１のカバー構造の外寸より小さい外寸を有してもよく、その場合、第２のカバー構造は、第１のカバー構造のカバー壁の領域において第１のカバー構造に接続される。
【図面の簡単な説明】
【図１】
第１のカバー構造及び第２のカバー構造により閉じられるコンテナを有する本発明の第１の実施例である台所電気製品を示す側面図である。
【図２】
コンテナ及び２つのカバー構造を含む図１の台所電気製品の一部を示す断面図である。
【図３】
本発明の第２の実施例である台所電気製品の第２のカバー構造を示す底面図である。
【図４】
図３の第２のカバー構造と、本発明の第２の実施例における台所電気製品の第１のカバー構造を示す断面図である。
【図５】
本発明の第３の実施例における台所電気製品の第１のカバー構造を示す断面図である。
【国際公開パンフレット】
2004506465.tif 000003
2004506465.tif 000004
2004506465.tif 000005
2004506465.tif 000006
2004506465.tif 000007
2004506465.tif 000008
2004506465.tif 000009
2004506465.tif 000010
2004506465.tif 000011
2004506465.tif 000012
【国際公開パンフレット（コレクトバージョン）】
2004506465.tif 000013
【国際公開パンフレット（コレクトバージョン）】
2004506465.tif 000014
【国際調査報告】
2004506465.tif 000015
2004506465.tif 000016
2004506465.tif 000017
2004506465.tif 000018
2004506465.tif 000019
2004506465.tif 000020